(57)【特許請求の範囲】
【請求項１】
放射方向に突出して形成され各スロット（２Ａ）間に位置する複数の磁極部（２）を有し全体形状が輪状に形成されたステータ体（１０）と、前記ステータ体（１０）の各端面（２ａ，２ｂ）側に設けられた１対の絶縁キャップ（３ａ，３ｂ）と、前記各絶縁キャップ（３ａ，３ｂ）を覆うように設けられた絶縁シート（１）とを有し、前記絶縁シート（１）の外周に巻回され前記各磁極部（２）毎に配設されたコイル（４０）を備えたステータ絶縁構造において、前記絶縁シート（１）は、全体が長手形状で頂部（２１）及び１対の側部（２２，２３）を有してコ字形をなす主体部（２０）と、前記主体部（２０）の下端（２０ａ）に形成され互いに重合して曲折自在とされる１対の舌片（５０，５１）と、前記各側部（２２，２３）の第１長手面（２２ａ，２３ａ）に曲折自在に形成された１対の第１長手舌片（２４，２５）と、前記各側部（２２，２３）の第２長手面（２２ｂ，２３ｂ）に曲折自在に形成された１対の第２長手舌片（２６，２７）とを備え、前記主体部（２０）は前記磁極部（２）の上端面（２ａ）から挿入して配設され、前記各第１長手舌片（２４，２５）は長手方向に沿って２つ折りに曲折されて前記各磁極部（２）の内端に形成された弧状突部（２Ｂ）に接合し、前記各舌片（５０，５１）は前記磁極部（２）の下端面（２ｂ）に重合配設され、前記各第２長手舌片（２６，２７）は前記各スロット（２Ａ）内に位置して配設された構成よりなることを特徴とするステータ絶縁構造。
【発明の詳細な説明】
【０００１】
【発明の属する技術分野】
本発明は、ステータ絶縁構造に関し、特に、ステータ体の各磁極部のほぼ全表面を絶縁シールで覆い、コイルとステータ間の完全な絶縁を得ると共に絶縁作業を容易化するための新規な改良に関する。
【０００２】
【従来の技術】
従来、用いられていたこの種のステータ絶縁構造としては、一般に、図７で示される折り曲げ形の絶縁シート１が、図４で示される磁極部２に点線にて示される１対の絶縁キャップ３ａ，３ｂの外側に覆うように設けられ、この絶縁シート１によって各絶縁キャップ３ａ，３ｂ間の隙間３ｃを覆うように構成していた。
【０００３】
【発明が解決しようとする課題】
従来のステータ絶縁構造は、以上のように構成されていたため、次のような課題が存在していた。
すなわち、前述の従来構成の場合、絶縁シールが単純にコ字形に折られた構成であるため、磁極部を覆うように絶縁シールを取付ける場合、位置決めが不可能であるが故に、接着剤にて仮固定させなければならず、その接着作業に多大の労力と時間を必要としていた。また、全体形状がコ字状に形成されているのみであるため、絶縁シールの両端の収まり状態が悪く、磁極部にコイルを巻回する作業に対して障害となっていた。
【０００４】
本発明は、以上のような課題を解決するためになされたもので、特に、ステータ体の各磁極部のほぼ全表面を絶縁シールで覆い、コイルとステータ間の完全な絶縁を得ると共に、絶縁作業を容易化するようにしたステータ絶縁構造を提供することを目的とする。
【０００５】
【課題を解決するための手段】
本発明によるステータ絶縁構造は、放射方向に突出して形成され各スロット間に位置する複数の磁極部を有し全体形状が輪状に形成されたステータ体と、前記ステータ体の各端面側に設けられた１対の絶縁キャップと、前記各絶縁キャップを覆うように設けられた絶縁シートとを有し、前記絶縁シートの外周に巻回され前記各磁極部毎に配設されたコイルを備えたステータ絶縁構造において、前記絶縁シートは、全体が長手形状で頂部及び１対の側部を有してコ字形をなす主体部と、前記主体部の下端に形成され互いに重合して曲折自在とされる１対の舌片と、前記各側部の第１長手面に曲折自在に形成された１対の第１長手舌片と、前記各側部の第２長手面に曲折自在に形成された１対の第２長手舌片とを備え、前記主体部は前記磁極部の上端面から挿入して配設され、前記各第１長手舌片は長手方向に沿って２つ折りに曲折されて前記各磁極部の内端に形成された弧状突部に接合し、前記各舌片は前記磁極部の下端面に重合配設され、前記各第２長手舌片は前記各スロット内に位置して配設された構成である。
従って、本発明による絶縁シートは、絶縁キャップ上から磁極部全体を覆うと共に、主体部に設けられた舌片、各長手舌片が磁極部に接合するため、接着剤等を用いることなく絶縁シートが磁極部に確実に接合するため、自動巻きによるコイル巻き時の作業性が従来よりも大幅に向上し、かつ、絶縁性の向上も達成できる。
【０００６】
【発明の実施の形態】
以下、図面と共に本発明によるステータ絶縁構造の好適な１例について詳細に説明する。なお、従来例と同一又は同等部分には同一符号を付して説明する。
図１及び図２において符号１０で示されるものは全体形状が輪状をなし周知の積層型のステータ体であり、このステータ体１０には、放射方向でかつ内方へ向けて突出する複数の磁極部２が各スロット２Ａ間に形成されており、この各磁極部２の上端面２ａ側及び下端面２ｂ側（すなわち、ステータ体１０の軸方向における各端面と同一）から１対の絶縁キャップ３ａ，３ｂがサンドイッチ状に設けられている。この各絶縁キャップ３ａ，３ｂは周知の構成であり、各絶縁キャップ３ａ，３ｂは共に各磁極部２の各々の片側を覆うように一体に形成されて輪状に構成されている。従って、各端面２ａ，２ｂ側から嵌合して設けられた各絶縁キャップ３ａ，３ｂ間にはステータ体１０の厚さ方向において０．１〜０．３ｍｍ位の隙間３ｃが形成されている。
【０００７】
前記各磁極部２には、上端面２ａ側から図５で示す構成の絶縁シート１が設けられ、この絶縁シート１は全体形状がほぼコ字形の主体部２０より構成され、この主体部２０は、頂部２１及びこの頂部２１の両側に一体に設けられた１対の側部２２，２３より主として構成され、この主体部２０を前記磁極部２の上端面２ａ側からまたがらせて挿入することにより、頂部２１が上端面２ａに接合し、隙間３ｃは各側部２２，２３によって覆われる。
【０００８】
前記各側部２２，２３の下端すなわち主体部２０の下端２０ａには１対の舌片５０，５１が互いに重合する状態で曲折自在に形成され、図示していないが、各舌片５０，５１は前記磁極部２の下端面２ｂ（裏側）を覆うように重合して接合される。前記各側部２２，２３の第１長手面２２ａ，２３ａにはこの第１長手面２２ａ，２３ａに沿って設けられた２つ折り状の第１長手舌片２４，２５が曲折自在に設けられ、この各第１長手舌片２４，２５は図６で一方のみを拡大して示しているように折れ部２４ａ，２５ａによって折り状に構成されている。従って、この各第１長手舌片２４，２５は、図１及び図３にて示すように、この絶縁シート１を磁極部２に装着すると、磁極部２の内端に形成された弧状突部２Ｂの各突状側部２Ｂａ，２Ｂｂに接合している。
【０００９】
さらに、前記各側部２２，２３の各第２長手面２２ｂ，２３ｂには、第２長手舌片２６，２７が曲折自在に形成されており、この各第２長手舌片２６，２７は図３に示されるように、前記各スロット２Ａ内に位置し、各第２長手舌片２６，２７は各スロット２Ａ内で隣接する磁極部２に装着された絶縁シート１の各第２長手舌片２６，２７と重合するように構成されている。なお、コイル４０はこの絶縁シート１の上に自動巻線機にて巻回されている。また、図３のハッチング部分は絶縁シート１の頂部２１を分かりやすくするために示している。
【００１０】
従って、本発明によるステータ絶縁構造においては、絶縁シート１を磁極部２の絶縁キャップ３ａ，３ｂ上に上端２ａ側（表側）から挿入して装着すると、磁極部２の隙間３ｃが覆われるだけでなく、弧状突部２Ｂの各突状側部２Ｂａ，２Ｂｂも第１長手舌片２４，２５により覆われると共に、第２長手舌片２６，２７によりスロット２Ａも覆われ、さらに各舌片５０，５１により磁極部２の下端２ｂが覆われるため、ステータ１０の磁極部２とコイル４０間の完全な絶縁を達成することができる。また、この絶縁シート１は磁極部２に装着した場合、接着剤等を要することなく磁極部２に係合するため、コイル４０の巻回が容易で、自動巻が容易となる。
【００１１】
【発明の効果】
本発明によるステータ絶縁構造は、以上のように構成されているため、次のような効果を得ることができる。
すなわち、絶縁シートが従来構成と異なり磁極部に巻付くような形状の舌片、長手舌片等を有しているため、絶縁シートを磁極部に装着した場合に接着剤等を要することなく確実に係合して位置決めでき、その後のコイルの巻回を極めて容易に行うことができる。また、各絶縁キャップ間の隙間も完全に絶縁でき、磁極部におけるステータ体とコイル間の絶縁を完全に行うことができる。
【図面の簡単な説明】
【図１】本発明によるステータ絶縁構造を示す平面図である。
【図２】図１の右側面図である。
【図３】図１の要部のコイル巻回前の状態を示す平面図である。
【図４】図１の要部のコイル巻回前の状態を示す平面図である。
【図５】絶縁シートを示す斜視図である。
【図６】図５のＡ部を示す拡大斜視図である。
【図７】従来の絶縁シートを示す斜視図である。
【符号の説明】
１    絶縁シート
２    磁極部
２ａ，２ｂ    端面
２Ａ    スロット
２Ｂ    弧状突部
３ａ，３ｂ    絶縁キャップ
２０    主体部
２１    頂部
２２，２３    側部
２２ａ，２３ａ    第１長手面
２２ｂ，２３ｂ    第２長手面
２４，２５    第１長手舌片
２６，２７    第２長手舌片
５０，５１    舌片
【図１】
0003609161.tif 000002
【図２】
0003609161.tif 000003
【図３】
0003609161.tif 000004
【図４】
0003609161.tif 000005
【図５】
0003609161.tif 000006
【図６】
0003609161.tif 000007
【図７】
0003609161.tif 000008